(57)【要約】      （修正有）【課題】システム内の各装置が容易に適切かつ個別にタイムリーな動作を行うことが可能で、システム内に装置が増設される場合にあっても容易にかつ安価に対応可能で、かつ、いずれかの装置に故障や異常が発生した場合にも迅速にかつ的確に状況を把握して短時間での復旧が可能な血液浄化システムを提供する。【解決手段】複数の透析装置３と、少なくとも一つの透析液作製・供給装置２を有し、これら装置間に、双方向通信手段を介して予め定めた種類の情報である所定情報を装置間で送受信可能な情報通信網が構築されており、かつ、システム１０７内の全ての装置の所定情報を管理する管理手段を備えたシステムであって、システム内の各装置の工程が予め個別に設定可能であり、管理手段８に管理されている所定情報に基づいて、システム内のそれぞれの装置が、予め個別に設定された工程を維持するよう、個別に動作可能に構成されている血液浄化システム。【選択図】図７
2015123182.tif 000002
【特許請求の範囲】
【請求項１】
複数の透析装置と、透析液を作製して各透析装置に透析液を供給する少なくとも一つの透析液作製・供給装置を有し、これら装置間に、双方向通信手段を介して予め定めた種類の情報である所定情報を装置間で送受信可能な情報通信網が構築されており、かつ、システム内の全ての装置の所定情報を管理する管理手段を備えた血液浄化システムであって、
システム内の各装置の工程が予め個別に設定可能であり、前記管理手段に管理されている所定情報に基づいて、システム内のそれぞれの装置が、予め個別に設定された工程を維持するよう、個別に動作可能に構成されていることを特徴とする血液浄化システム。
【請求項２】
前記管理手段が前記透析液作製・供給装置に設けられている、請求項１に記載の血液浄化システム。
【請求項３】
システム内の装置と前記管理手段との間に介在されている双方向通信手段に、少なくとも一つの中間管理手段が設けられている、請求項１または２に記載の血液浄化システム。
【請求項４】
システム内の少なくとも一つの装置に中間管理手段が設けられている、請求項１〜３のいずれかに記載の血液浄化システム。
【請求項５】
前記所定情報は、少なくとも、前記複数の透析装置のそれぞれの透析液の使用予定量と、前記透析液作製・供給装置の透析液作製量を含み、前記透析液作製・供給装置は、透析液の全使用予定量に基づいて透析液作製量を決定可能に構成されている、請求項１〜４のいずれかに記載の血液浄化システム。
【請求項６】
前記所定情報は、少なくとも、前記複数の透析装置の稼動優先度に関する情報と、前記透析液作製・供給装置の透析液作製可能量を含み、該透析液作製可能量が透析液の全使用予定量より少ない場合に、前記複数の透析装置の中の稼動優先度の低い透析装置が、自らの透析液の使用量を低下させる、あるいは透析液の使用を停止するよう制御される、請求項５に記載のシステム。
【請求項７】
前記透析液作製・供給装置に洗浄液または消毒液を供給可能な少なくとも一つの供給手段を備えており、前記所定情報は、少なくとも、システム内の各装置における前記洗浄液または消毒液の使用予定量を含み、前記供給手段は、システム内における洗浄液または消毒液の全使用予定量に基づいて洗浄液または消毒液の供給量を決定可能に構成されている、請求項１〜６のいずれかに記載の血液浄化システム。
【請求項８】
前記所定情報は、少なくとも、前記複数の透析装置の洗浄または消毒の優先度に関する情報と、前記供給手段の洗浄液または消毒液の供給可能量を含み、洗浄液または消毒液の供給可能量が洗浄液または消毒液の全使用予定量より少ない場合に、前記複数の透析装置の中の洗浄または消毒の優先度が低い透析装置が、自らの洗浄液または消毒液の使用量を低下させる、あるいは洗浄液または消毒液の使用を停止するよう制御される、請求項７に記載の血液浄化システム。
【請求項９】
システム内の各装置は、自らの固有の所定情報と、前記管理手段に管理されている所定情報とを比較することにより、自らの異常を判断または監視可能に構成されている、請求項１〜８のいずれかに記載の血液浄化システム。
【請求項１０】
システム内の各装置は、自らの固有の所定情報と、前記管理手段に管理されている所定情報とが予め定められた範囲を超えて異なる場合、警報を発する及び／又は履歴を残すよう構成されている、請求項９に記載の血液浄化システム。
【発明の詳細な説明】
【技術分野】
【０００１】
本発明は、複数の患者に血液浄化治療を施すための複数の透析装置と、透析液を作製して各透析装置に透析液を供給する少なくとも一つの透析液作製・供給装置を有し、かつ、システム内の各装置の情報を管理可能な管理手段を別途設けた血液浄化システムに関し、とくに、各装置の個別の動作をより適切に行わせたり、情報の集中管理をより簡便に行わせたり、いずれかの装置に異常が発生した場合により簡便に判断したりすること等が可能な血液浄化システムに関する。
【背景技術】
【０００２】
血液浄化システムは、通常、比較的大型の装置である透析液作製・供給装置から供給される透析液を、複数の透析装置に配管を介して導入し、各透析装置に設けられている血液浄化要素（例えば、ダイアライザ）を介して各患者の血液浄化治療を施すように構築されている。透析装置としては、複数の血液浄化治療を監視（モニター）可能な透析監視装置や、一人の患者の血液浄化治療に必要な要素が揃えられている個人用透析装置のいずれの形態も採り得る。
【０００３】
このような血液浄化システムにおいて、患者の治療スケジュールを入力および記憶可能な中央監視システムを設け、透析監視装置または透析液作製・供給装置に対して中央監視システムから治療スケジュールを送信できるようにし、当該治療スケジュールに基づいて透析監視装置または透析液作製・供給装置が動作できるようにした血液浄化システムが提案されている（特許文献１）。この特許文献１には、中央監視システムと特定の透析液作製・供給装置または透析装置との間で双方向に通信可能とする構成も記載されているが（特許文献１の請求項９）、各請求項の組み立て方から、通信される情報は基本的に上記治療スケジュールに関するものに限られていると解せられる。
【先行技術文献】
【特許文献】
【０００４】
【特許文献１】特開２０１２−２４９７４８号公報
【発明の概要】
【発明が解決しようとする課題】
【０００５】
上記特許文献１に提案されている血液浄化システムにおいては、治療スケジュールが中央監視システムで集中管理され、該中央監視システムから送信される治療スケジュールに基づいて各透析装置または透析液作製・供給装置が動作するようになっているため、
（１）治療、工程が異なる透析装置の場合のそれぞれの透析装置においては、中央監視システムから送信される治療スケジュールとは関連性のない、あるいは関連性の薄い判断が必要となるため、各透析装置が個別の動作を迅速かつ的確に行うことが困難になることがある、
（２）各透析装置や透析液作製・供給装置との間の情報が中央監視システムに集中する通信網となっているので、血液浄化システム全体としての通信網が複雑になり、例えば、透析装置を増設する場合、その増設規模が大きくなるほど通信網がさらに複雑になり、保守や管理が煩雑になるという問題や、複雑な通信網のため、いずれかの装置に故障が発生した場合、状況の把握に時間がかかるとともに、その復旧に時間がかかる、
（３）システム中の各装置自体の異常を自ら検知できない場合がある、
等の問題がある。
【０００６】
そこで本発明の課題は、上記のような従来技術における問題点に鑑み、システム内の各装置が容易に適切かつタイムリーな動作を行うこと、とくに個別の状況に応じた個別の動作を行うことが可能で、システム内に装置が増設される場合にあっても容易にかつ安価に対応可能で、かつ、システム内のいずれかの装置に故障や異常が発生した場合にも迅速にかつ的確に状況を把握して短時間での復旧が可能な血液浄化システムを提供することにある。
【課題を解決するための手段】
【０００７】
上記課題を解決するために、本発明に係る血液浄化システムは、複数の透析装置と、透析液を作製して各透析装置に透析液を供給する少なくとも一つの透析液作製・供給装置を有し、これら装置間に、双方向通信手段を介して予め定めた種類の情報である所定情報を装置間で送受信可能な情報通信網が構築されており、かつ、システム内の全ての装置の所定情報を管理する管理手段を備えた血液浄化システムであって、
システム内の各装置の工程が予め個別に設定可能であり、前記管理手段に管理されている所定情報に基づいて、システム内のそれぞれの装置が、予め個別に設定された工程を維持するよう、個別に動作可能に構成されていることを特徴とするものからなる。
【０００８】
なお、上記のような本発明に係る血液浄化システムにおいて、透析液作製・供給装置とは、透析液を作製して各透析装置に透析液を供給するまでの一連の装置群を意味し、例えば、精製水製造装置、具体的には例えば逆浸透法精製水製造装置（ＲＯ装置）と、該精製水製造装置からの精製水を用いていわゆる透析用Ａ粉末剤を溶解する透析用Ａ粉末剤溶解装置およびいわゆる透析用Ｂ粉末剤を溶解する透析用Ｂ粉末剤溶解装置と、各溶解装置からの溶液を所定の割合で混合するとともに混合液を精製水製造装置からの精製水を用いて所定の濃度に調整して透析液を調製し、その透析液を各透析装置に供給する多人数用透析液供給装置（いわゆるセントラルと呼ばれる装置）からなる一連の装置群を意味する。ただし、上記溶解装置を持たず、多人数用透析液供給装置にて、予め調製された透析用Ａ液と透析用Ｂ液を混合して所定の濃度に調整し、その透析液を各透析装置に供給する構成も考えられ、本発明における透析液作製・供給装置は、このような構成まで含む概念である。また、本発明における透析装置とは、複数人あるいは個人の透析監視装置（モニター）と個人用透析装置の両方を含む概念として規定される。また、上記管理手段とは、中央監視サーバやホストコンピュータなどを意味し、システム内の全ての装置の所定情報を管理可能な手段である。
【０００９】
上記のような本発明に係る血液浄化システムにおいては、各透析装置と透析液作製・供給装置間に、双方向通信手段を介して所定情報を装置間で送受信可能な情報通信網（ネットワーク）が構築されており、各装置間で双方向通信手段を介して所定情報が自動送受信され、かつ、システム内の全ての装置の所定情報を管理する管理手段が設けられている。そして、システム内の各装置の工程が予め個別に設定可能に構成されており、上記管理手段に管理されている所定情報に基づいて（つまり、上記管理手段に管理されている所定情報を読み取って）、システム内のそれぞれの装置が、予め個別に設定された工程を維持するよう（つまり、他の装置とは異なる工程であってもその独自の工程を維持するよう）、個別に判断して個別に動作可能に構成されている。したがって、システム内の各装置が個別の状況に応じた個別の動作を行うことが可能になり、しかも、容易に適切かつタイムリーな個別の動作を行うことが可能になる。また、システム内の全ての装置からそれぞれ中央管理手段へと集中する情報通信網ではなく、双方向通信手段を介したネットワーク型の情報通信網が構築可能であるため、システム内に装置が増設される場合にあっても通信網を大幅に複雑化することなく必要最小限の通信線網の追加で済み、容易にかつ安価に対応可能になる。とくに、後述の中間管理手段を有することで、一層、簡素でかつ整理された情報通信網が構築可能である。さらに、上記管理手段にはシステム内の全ての装置の所定情報が管理されているので、その情報を利用して、システム内のいずれかの装置に故障や異常が発生した場合には、管理されている所定情報を利用して、迅速にかつ的確に状況を把握して短時間での復旧が可能になる。
【００１０】
このような本発明に係る血液浄化システムにおいては、基本的には上記管理手段はシステム内の各装置とは別に設けるが、例えば、上記透析液作製・供給装置に設け、一体的な大型装置に構成することも可能である。後者の場合には、情報通信網のさらなる簡素化が可能である。
【００１１】
また、本発明に係る血液浄化システムにおいては、システム内の装置と上記管理手段との間に介在されている双方向通信手段に、少なくとも一つの中間管理手段が設けられていることが好ましい。この中間管理手段は、単なる情報通信の中継器ではなく、自らが管理する範囲の装置や装置群の所定情報を管理できる手段である。このような中間管理手段をシステム内の適所に設けることにより、通信網を一層簡素化することが可能になり、それによって装置の増設等により容易に対応できるようになる。また、中間管理手段を介してシステム内の装置をグループ分けすることも可能になり、グループ化により、通信網を一層簡素に整理することが可能になるとともに、例えば、グループごとに異なる個別の動作を行わせることも可能になり、とくに血液浄化システムの規模が大きい場合にはシステム全体のより適切かつ円滑な運用が可能になる。
【００１２】
また、本発明に係る血液浄化システムにおいては、システム内の少なくとも一つの装置に中間管理手段が設けられている構成とすることもできる。このようにすれば、システム内の装置の数を大きく増やすことなく、中間管理手段を備えた望ましいシステムが容易にかつ比較的簡素な形態にて実現可能となる。
【００１３】
また、上記所定情報としては、少なくとも、上記複数の透析装置のそれぞれの透析液の使用予定量と、上記透析液作製・供給装置の透析液作製量を含み、上記透析液作製・供給装置は、透析液の全使用予定量に基づいて透析液作製量を決定可能に構成されていることが好ましい。このような構成においては、必要量に応じた適切な量の透析液を作製することが可能になる。なお、透析液の全使用予定量と透析液作製量とが丁度同量とは限らず、安全サイドを考慮して、全使用予定量よりも若干多目に透析液作製量を決定することも可能である。
【００１４】
この場合、上記所定情報は、少なくとも、上記複数の透析装置の稼動優先度に関する情報と、上記透析液作製・供給装置の透析液作製可能量を含み、該透析液作製可能量が透析液の全使用予定量より少ない場合に、上記複数の透析装置の中の稼動優先度の低い透析装置が、自らの透析液の使用量を低下させる、あるいは透析液の使用を停止するよう制御される構成とすることもできる。このような構成すれば、透析液の全使用予定量に対して透析液作製量が不足する不都合を回避でき、システム全体における透析液の効率の良い運用が円滑に実現される。
【００１５】
また、本発明に係る血液浄化システムにおいては、上記透析液作製・供給装置に洗浄液または消毒液を供給可能な少なくとも一つの供給手段を備えており、上記所定情報は、少なくとも、システム内の各装置における上記洗浄液または消毒液の使用予定量を含み、上記供給手段は、システム内における洗浄液または消毒液の全使用予定量に基づいて洗浄液または消毒液の供給量を決定可能に構成されている形態の採用が可能である。ここで、洗浄液または消毒液を供給可能な供給手段としては、例えば、精製水製造装置への薬液注入ポンプ、多人数用透析液供給装置への薬液注入ポンプを挙げることができる。このような構成においては、必要量に応じた適切な量の洗浄液または消毒液を供給することが可能になる。なお、洗浄液または消毒液の使用予定量と供給量とが丁度同量とは限らず、安全サイドを考慮して、使用予定量よりも若干多目に供給量を決定することも可能である。
【００１６】
この場合、上記所定情報は、少なくとも、上記複数の透析装置の洗浄または消毒の優先度に関する情報と、上記供給手段の洗浄液または消毒液の供給可能量を含み、洗浄液または消毒液の供給可能量が洗浄液または消毒液の全使用予定量より少ない場合に、上記複数の透析装置の中の洗浄または消毒の優先度が低い透析装置が、自らの洗浄液または消毒液の使用量を低下させる、あるいは洗浄液または消毒液の使用を停止するよう制御される構成とすることもできる。このような構成すれば、洗浄液または消毒液の使用量を複数の透析装置側で調整することにより、洗浄液または消毒液の全使用予定量に対して供給量が不足する不都合を回避でき、システム全体における洗浄液または消毒液の効率の良い供給、運用が円滑に実現される。
【００１７】
また、本発明に係る血液浄化システムにおいては、システム内の各装置は、自らの固有の所定情報と、上記管理手段に管理されている所定情報とを比較することにより、自らの異常を判断または監視可能に構成されている形態の採用が可能である。
【００１８】
この場合、システム内の各装置は、自らの固有の所定情報と、上記管理手段に管理されている所定情報とが予め定められた範囲を超えて異なる場合、警報を発する及び／又は履歴を残すよう構成されていることが好ましい。このように異常の判断または監視にある程度の幅、つまり、予め定められた範囲の幅を持たせることにより、誤判断等を回避してより適切な判断または監視を行うことが可能になる。
【発明の効果】
【００１９】
このように、本発明に係る血液浄化システムによれば、双方向通信手段がフラット型に分散された情報通信網（ネットワーク）を有し、管理手段で、好ましくは中間管理手段を有する形態にて、システム内の全ての装置の所定情報を管理し、システム内の各装置の工程が予め個別に設定可能であり、管理手段に管理されている所定情報に基づいて、システム内のそれぞれの装置が、予め個別に設定された工程を維持するよう、個別に動作可能に構成されているので、システム内の各装置が容易に適切かつ個別にタイムリーな動作を行うことが可能になる。また、システム内に装置が増設される場合にあっても容易にかつ安価に対応可能になる。さらに、システム内のいずれかの装置に故障や異常が発生した場合にも迅速にかつ的確に状況を把握して短時間での復旧が可能になる。そして、このように有用な血液浄化システムを、比較的簡素でかつ整理されたなシステムとして安価に構築することが可能である。
【図面の簡単な説明】
【００２０】
【図１】本発明の一実施態様に係る血液浄化システムの基本構成の概略構成図である。
【図２】本発明の別の実施態様に係る血液浄化システムの基本構成の概略構成図である。
【図３】本発明のさらに別の実施態様に係る血液浄化システムの基本構成の概略構成図である。
【図４】本発明に係る血液浄化システムにおけるネットワーク構成の一例を示す概略構成図である。
【図５】本発明に係る血液浄化システムにおけるネットワーク構成の別の例を示す概略構成図である。
【図６】本発明に係る血液浄化システムにおけるネットワーク構成のさらに別の例を示す概略構成図である。
【図７】本発明に係る血液浄化システムにおけるネットワーク構成のさらに別の例を示す概略構成図である。
【図８】本発明に係る血液浄化システムにおけるネットワーク構成のさらに別の例を示す概略構成図である。
【発明を実施するための形態】
【００２１】
以下に、本発明に係る血液浄化システムの実施の形態について、図面を参照しながら説明する。
図１は、本発明の一実施態様に係る血液浄化システムの基本構成を示している。本実施態様においては、血液浄化システム１０１は、透析液を作製して各透析装置に透析液を供給する少なくとも一つの透析液作製・供給装置２と、複数の透析装置３とを有しており、これら装置間に、双方向通信手段４を介して予め定めた種類の情報である所定情報を装置間で送受信可能な情報通信網が構築されている。透析液作製・供給装置２は、本実施態様では、逆浸透法による精製水製造装置１と、該精製水製造装置１からの精製水を用いていわゆる透析用Ａ粉末剤を溶解する透析用Ａ粉末剤溶解装置５およびいわゆる透析用Ｂ粉末剤を溶解する透析用Ｂ粉末剤溶解装置６と、各溶解装置５、６からの溶液を所定の割合で混合するとともに混合液を精製水製造装置１からの精製水を用いて所定の濃度に調整して透析液を調製し、その透析液を各透析装置３に供給する多人数用透析液供給装置７とからなる一連の装置群として構成されている。そして、上記双方向通信手段４を介して、各装置は、システム内の全ての装置の所定情報を管理する管理手段８と接続されている。
【００２２】
このような血液浄化システム１０１において、システム内の各装置の工程が予め個別に設定可能であり、上記管理手段８に管理されている所定情報に基づいて、システム内のそれぞれの装置が、予め個別に設定された工程を維持するよう、個別に動作可能に構成されている。また、上記所定情報は、少なくとも、複数の透析装置３のそれぞれの透析液の使用予定量と、透析液作製・供給装置２の透析液作製量を含み、透析液作製・供給装置２は、透析液の全使用予定量に基づいて透析液作製量を決定可能に構成されている。また、上記所定情報は、少なくとも、複数の透析装置３の稼動優先度に関する情報と、透析液作製・供給装置２の透析液作製可能量を含み、該透析液作製可能量が透析液の全使用予定量より少ない場合には、複数の透析装置３の中の稼動優先度の低い透析装置３が、自らの透析液の使用量を低下させる、あるいは透析液の使用を停止するよう制御されるようになっている。さらに、システム内の各装置は、自らの固有の所定情報と、上記管理手段８に管理されている所定情報とを比較することにより、自らの異常を判断または監視可能に構成されている。この場合、システム内の各装置は、自らの固有の所定情報と、上記管理手段８に管理されている所定情報とが予め定められた範囲(予め定められた幅)を超えて異なる場合、警報を発する及び／又は履歴を残すよう構成されている。
【００２３】
図２は、本発明の別の実施態様に係る血液浄化システム１０２の基本構成を示しており、本実施態様においては、図１に示した実施態様に比べ、システム内の適所に、とくに、システム内のある装置と上記管理手段８との間に介在されている双方向通信手段４に、少なくとも一つの(図示例では２つの)中間管理手段９が設けられている。図示例では、中間管理手段９は、透析液作製・供給装置２内の多人数用透析液供給装置７と、特定の透析装置３とにそれぞれ設けられている。この中間管理手段９は、後述の各種ネットワーク構成例に示すように、様々な箇所に設置可能である。中間管理手段９は、前述の如く、単なる情報通信の中継器ではなく、自らが管理する範囲の装置や装置群の所定情報を管理できる手段として構成されている。その他の構成は図１に示した実施態様に準じる。
【００２４】
図３は、本発明のさらに別の実施態様に係る血液浄化システム１０３の基本構成を示しており、本実施態様においては、図２に示した実施態様に比べ、中間管理手段９の個数、設置位置を変更しているとともに、透析液作製・供給装置２に洗浄液または消毒液を供給可能な少なくとも一つの供給手段１０を備えており、図示例では、例えば、供給手段９は精製水製造装置１と多人数用透析液供給装置７とに対して設けられており、例えば薬液注入ポンプからなる。そして、上記所定情報は、少なくとも、システム内の各装置における洗浄液または消毒液の使用予定量を含み、上記供給手段１０は、システム内における洗浄液または消毒液の全使用予定量に基づいて洗浄液または消毒液の供給量を決定可能に構成されている。その他の構成は図１、図２に示した実施態様に準じる。また、本実施態様においては、好ましくは、上記所定情報は、少なくとも、複数の透析装置３の洗浄または消毒の優先度に関する情報と、供給手段１０の洗浄液または消毒液の供給可能量を含み、洗浄液または消毒液の供給可能量が洗浄液または消毒液の全使用予定量より少ない場合に、複数の透析装置３の中の洗浄または消毒の優先度が低い透析装置３が、自らの洗浄液または消毒液の使用量を低下させる、あるいは洗浄液または消毒液の使用を停止するよう制御されるようになっている。
【００２５】
図１〜図３に示したような基本構成を有する血液浄化システムにおける通信情報網は、双方向通信手段４が、フラット型に適切に分散配備されたネットワークに構成され、例えば図４〜図８に例示するように、管理手段８や中間管理手段９を、種々の箇所に配置できる。
【００２６】
図４に示す構成では、複数の透析液作製・供給装置２と複数の透析装置３のそれぞれが、双方向通信手段４を介して管理手段８に接続されており、比較的規模の小さいシステムに好適なネットワーク構成である。
【００２７】
図５に示す構成では、複数の透析液作製・供給装置２と複数の透析装置３が、双方向通信手段４を介して適当に簡素な形で接続されているが、中央には、システム内の全ての装置の所定情報が管理可能な管理手段８が双方向通信手段４を介して接続、配置されており、より大型のシステムに好適なネットワーク構成である。
【００２８】
図６に示す構成では、図４に示したのと略同等の構成において、管理手段８が特定の透析液作製・供給装置２に設けられているネットワーク構成となっている。
【００２９】
図７に示す構成では、ネットワーク構成中に中間管理手段９が設けられており、中間管理手段９によって、適切にグループ分けが可能なネットワーク構成となっている。
【００３０】
図８に示す構成では、さらに、ネットワーク構成中に設けられる中間管理手段９が、特定の透析液作製・供給装置２および特定の透析装置３に設けられて一体化構成とされたネットワーク構成が例示されている。
【００３１】
図１〜図８に示したような血液浄化システムの構成とすることにより、前述の如く、システム内の各装置が容易に適切かつ個別にタイムリーな動作を行うことが可能になる。また、システム内に装置が増設される場合にあっても容易にかつ安価に対応可能になる。さらに、システム内のいずれかの装置に故障や異常が発生した場合にも迅速にかつ的確に状況を把握して短時間での復旧が可能になる。このように有用な血液浄化システムは、比較的簡素でかつ整理されたなシステムとして安価に構築することが可能である。
【産業上の利用可能性】
【００３２】
本発明は、複数の透析装置と少なくとも一つの透析液作製・供給装置を有するあらゆる血液浄化システムに適用できる。
【符号の説明】
【００３３】
１  精製水製造装置
２  透析液作製・供給装置
３  透析装置
４  双方向通信手段
５  透析用Ａ粉末剤溶解装置
６  透析用Ｂ粉末剤溶解装置
７  多人数用透析液供給装置
８  管理手段
９  中間管理手段
１０  供給手段
１０１、１０２、１０３、１０４、１０５、１０６、１０７、１０８  血液浄化システム
【図１】
2015123182.tif 000003
【図２】
2015123182.tif 000004
【図３】
2015123182.tif 000005
【図４】
2015123182.tif 000006
【図５】
2015123182.tif 000007
【図６】
2015123182.tif 000008
【図７】
2015123182.tif 000009
【図８】
2015123182.tif 000010